【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
歯の組織治療のための装置であって、前記装置は、
レーザビームを治療されている歯の組織に指向するための光学システムであって、それによって、前記レーザビームは、前記歯の組織に近接する場所におけるエネルギープロファイルを有する、光学システムと、
前記レーザビームを前記歯の組織の表面の指定された領域内にターゲティングするためのフィードバック制御式ビーム誘導システムと
を備える、装置。
【請求項２】
前記光学システムは、レンズを備える、請求項１に記載の装置。
【請求項３】
前記レンズの焦点距離は、約２インチ〜約１５フィートの範囲内である、請求項２に記載の装置。
【請求項４】
前記エネルギープロファイルは、選択可能であって、シルクハット状プロファイル、ガウスプロファイル、およびドーナッツ形状プロファイルから成る群から選択される、請求項１に記載の装置。
【請求項５】
前記フィードバック制御式ビーム誘導システムは、
鏡と、
検流計であって、（ｉ）前記鏡の位置を調節するためのアクチュエータと、（ｉｉ）前記鏡の前記位置を決定するためのセンサとを備える、検流計と、
前記鏡の所望の位置に対して前記鏡の前記決定された位置に対応して、１ステップで、前記アクチュエータを制御するためのコントローラと、
を備える、請求項１に記載の装置。
【請求項６】
前記フィードバック制御式ビーム誘導システムは、互いに対して約９０度で配置される回転軸を有する２つの鏡を備える、請求項５に記載の装置。
【請求項７】
前記コントローラが前記アクチュエータを動かす速度は、約１０ステップ／秒〜約１００，０００ステップ／秒の範囲内である、請求項５に記載の装置。
【請求項８】
１ステップで前記アクチュエータを動かすことは、前記歯の組織の表面における前記レーザビームを約２マイクロメートル〜約１５ミリメートルの範囲内で変位させる、請求項５に記載の装置。
【請求項９】
前記鏡の前記所望の位置は、前記歯の組織の表面の前記指定された領域に従って決定される、請求項５に記載の装置。
【請求項１０】
前記鏡の前記所望の位置は、前記歯の組織の表面上の前記レーザビームのトレーシングパターンに従って決定され、前記トレーシングパターンは、渦巻トレース、ラスタートレース、およびランダムトレースから成る群から選択される、請求項９に記載の装置。
【請求項１１】
前記歯の組織の表面の前記指定された領域は、三角形、正方形、長方形、卵形、円形、および多角形のうちの１つである、請求項１に記載の装置。
【請求項１２】
前記歯の組織の表面の前記指定された領域は、複数の区画を備える周縁を有するユーザ規定形状の閉鎖領域である、請求項１に記載の装置。
【請求項１３】
１区画の長さは、約２μｍ〜約１５ｍｍの範囲内である、請求項１２に記載の装置。
【請求項１４】
前記歯の組織の表面の前記指定された領域は、約４μｍ２〜約２．２５ｃｍ２の範囲内である、請求項１に記載の装置。
【請求項１５】
治療されている前記歯の組織に隣接して配置可能である先端を有する手持式ユニットと、
前記光学システムおよび前記ビーム誘導システムを含む筐体であって、前記手持式ユニットは、前記筐体に取着可能であって、それによって、前記レーザビームは、前記手持式ユニットが前記筐体に取着される場合にのみ起動される、筐体と
をさらに備える、請求項１に記載の装置。
【請求項１６】
前記手持式ユニット内に配置される旋回式光学装置をさらに備える、請求項１５に記載の装置。
【請求項１７】
前記歯の組織の表面の前記指定された領域の少なくとも一部を照明するための照明システムであって、前記照明システムは、
光源および照明光を指向するための光学システム
を備える、照明システム
をさらに備える、請求項１５に記載の装置。
【請求項１８】
前記歯の組織の表面の前記指定された領域の少なくとも一部を照明するための照明システムであって、前記照明システムは、
光源および照明光を指向、平行化、および集束するための光学システム
を備える、照明システム
をさらに備える、請求項１５に記載の装置。
【請求項１９】
前記歯の組織の表面の前記指定された領域の少なくとも一部を照明するための照明システムであって、
光源および前記光源によって放出される光を反射するためのコレクタと、
前記照明光を指向するための光学システムと
を備える、照明システム
をさらに備える、請求項１５に記載の装置。
【請求項２０】
前記手持式ユニットの中に含まれる洗浄システムをさらに備える、請求項１５に記載の装置。
【請求項２１】
前記レーザビームは、ＣＯ２レーザビームである、請求項１に記載の装置。
【請求項２２】
ＣＯ２レーザビームは、約０．０３μｍ〜約０．２ｃｍの範囲内のスポットサイズを有する、請求項２１に記載の装置。
【請求項２３】
マーキングレーザビームをさらに備える、請求項１に記載の装置。
【請求項２４】
前記マーキングレーザビームは、約５００ｎｍ〜約７００ｎｍの範囲内のガスまたはダイオードのレーザから得られる、請求項２３に記載の装置。
【請求項２５】
撮像システムおよび伝送レンズを備える視覚システムをさらに備える、請求項１に記載の装置。
【請求項２６】
光学フィルタをさらに備える、請求項２５に記載の装置。
【請求項２７】
可変集束レンズシステムをさらに備える、請求項２５に記載の装置。
【請求項２８】
光学フィルタおよび可変集束レンズシステムをさらに備える、請求項２５に記載の装置。
【請求項２９】
人の口の内側に位置付けられるように構成される被覆をさらに備える、請求項１に記載の装置。
【請求項３０】
いかなる異物も前記装置に進入しないよう阻止するために、空気カーテンを形成するための空気経路をさらに備える、請求項１に記載の装置。
【請求項３１】
前記レーザビームは、集束されるレーザビームの焦点が、実質的に、前記歯の組織の表面に位置するように集束させられるように構成されている、請求項１に記載の装置。
【請求項３２】
前記レーザビームは、集束されるレーザビームの焦点が、前記歯の組織の表面に近接するように集束させられるように構成されている、請求項１に記載の装置。
【請求項３３】
前記焦点は、前記歯の組織の表面の上方にある、請求項３２に記載の装置。
【請求項３４】
前記焦点は、前記歯の組織の表面の下方にある、請求項３２に記載の装置。
【手続補正２】
【補正対象書類名】明細書
【補正対象項目名】００１３
【補正方法】変更
【補正の内容】
【００１３】
本発明は、例えば、以下を提供する：
（項目１）
歯の組織治療のための装置であって、前記装置は、
レーザビームを治療されている歯の組織に指向するための光学システムであって、それによって、前記レーザビームは、前記歯の組織に近接する場所におけるエネルギープロファイルを有する、光学システムと、
前記レーザビームを前記歯の組織の表面の指定された領域内にターゲティングするためのフィードバック制御式ビーム誘導システムと
を備える、装置。
（項目２）
前記光学システムは、レンズを備える、項目１に記載の装置。
（項目３）
前記レンズの焦点距離は、約２インチ〜約１５フィートの範囲内である、項目２に記載の装置。
（項目４）
前記エネルギープロファイルは、選択可能であって、シルクハット状プロファイル、ガウスプロファイル、およびドーナッツ形状プロファイルから成る群から選択される、項目１に記載の装置。
（項目５）
前記フィードバック制御式ビーム誘導システムは、
鏡と、
検流計であって、（ｉ）前記鏡の位置を調節するためのアクチュエータと、（ｉｉ）前記鏡の前記位置を決定するためのセンサとを備える、検流計と、
前記鏡の所望の位置に対して前記鏡の前記決定された位置に対応して、１ステップで、前記アクチュエータを制御するためのコントローラと、
を備える、項目１に記載の装置。
（項目６）
前記フィードバック制御式ビーム誘導システムは、互いに対して約９０度で配置される回転軸を有する２つの鏡を備える、項目５に記載の装置。
（項目７）
前記コントローラが前記アクチュエータを動かす速度は、約１０ステップ／秒〜約１００，０００ステップ／秒の範囲内である、項目５に記載の装置。
（項目８）
１ステップで前記アクチュエータを動かすことは、前記歯の組織の表面における前記レーザビームを約２マイクロメートル〜約１５ミリメートルの範囲内で変位させる、項目５に記載の装置。
（項目９）
前記鏡の前記所望の位置は、前記歯の組織の表面の前記指定された領域に従って決定される、項目５に記載の装置。
（項目１０）
前記鏡の前記所望の位置は、前記歯の組織の表面上の前記レーザビームのトレーシングパターンに従って決定され、前記トレーシングパターンは、渦巻トレース、ラスタートレース、およびランダムトレースから成る群から選択される、項目９に記載の装置。
（項目１１）
前記歯の組織の表面の前記指定された領域は、三角形、正方形、長方形、卵形、円形、および多角形のうちの１つである、項目１に記載の装置。
（項目１２）
前記歯の組織の表面の前記指定された領域は、複数の区画を備える周縁を有するユーザ規定形状の閉鎖領域である、項目１に記載の装置。
（項目１３）
１区画の長さは、約２μｍ〜約１５ｍｍの範囲内である、項目１２に記載の装置。
（項目１４）
前記歯の組織の表面の前記指定された領域は、約４μｍ２〜約２．２５ｃｍ２の範囲内である、項目１に記載の装置。
（項目１５）
治療されている前記歯の組織に隣接して配置可能である先端を有する手持式ユニットと、
前記光学システムおよび前記ビーム誘導システムを含む筐体であって、前記手持式ユニットは、前記筐体に取着可能であって、それによって、前記レーザビームは、前記手持式ユニットが前記筐体に取着される場合にのみ起動される、筐体と
をさらに備える、項目１に記載の装置。
（項目１６）
前記手持式ユニット内に配置される旋回式光学装置をさらに備える、項目１５に記載の装置。
（項目１７）
前記歯の組織の表面の前記指定された領域の少なくとも一部を照明するための照明システムであって、前記照明システムは、
光源および照明光を指向するための光学システム
を備える、照明システム
をさらに備える、項目１５に記載の装置。
（項目１８）
前記歯の組織の表面の前記指定された領域の少なくとも一部を照明するための照明システムであって、前記照明システムは、
光源および照明光を指向、平行化、および集束するための光学システム
を備える、照明システム
をさらに備える、項目１５に記載の装置。
（項目１９）
前記歯の組織の表面の前記指定された領域の少なくとも一部を照明するための照明システムであって、
光源および前記光源によって放出される光を反射するためのコレクタと、
前記照明光を指向するための光学システムと
を備える、照明システム
をさらに備える、項目１５に記載の装置。
（項目２０）
前記手持式ユニットの中に含まれる洗浄システムをさらに備える、項目１５に記載の装置。
（項目２１）
前記レーザビームは、ＣＯ２レーザビームである、項目１に記載の装置。
（項目２２）
ＣＯ２レーザビームは、約０．０３μｍ〜約０．２ｃｍの範囲内のスポットサイズを有する、項目２１に記載の装置。
（項目２３）
マーキングレーザビームをさらに備える、項目１に記載の装置。
（項目２４）
前記マーキングレーザビームは、約５００ｎｍ〜約７００ｎｍの範囲内のガスまたはダイオードのレーザから得られる、項目２５に記載の装置。
（項目２５）
撮像システムおよび伝送レンズを備える視覚システムをさらに備える、項目１に記載の装置。
（項目２６）
光学フィルタをさらに備える、項目２５に記載の装置。
（項目２７）
可変集束レンズシステムをさらに備える、項目２５に記載の装置。
（項目２８）
光学フィルタおよび可変集束レンズシステムをさらに備える、項目２５に記載の装置。
（項目２９）
人の口の内側に位置付けられるように構成される被覆をさらに備える、項目１に記載の装置。
（項目３０）
いかなる異物も前記装置に進入しないよう阻止するために、空気カーテンを形成するための空気経路をさらに備える、項目１に記載の装置。
（項目３１）
歯の組織治療のための方法であって、
レーザビームを治療されている歯の組織に向かって指向するステップであって、それによって、前記レーザビームは、前記歯の組織に近接する場所におけるエネルギープロファイルを有する、ステップと、
フィードバック制御式ビーム誘導システムを介して、前記歯の組織の表面の指定された領域内に前記レーザビームをターゲティングするステップと
を含む、方法。
（項目３２）
前記指向するステップは、約２インチ〜約１５フィートの範囲内の焦点距離を有するレンズを使用して行なわれる、項目３１に記載の方法。
（項目３３）
前記エネルギープロファイルは、選択可能であって、シルクハット状プロファイル、ガウスプロファイル、およびドーナッツ形状プロファイルから成る群から選択される、項目３１に記載の方法。
（項目３４）
前記ターゲティングするステップは、
鏡を使用して、前記レーザビームを反射するステップと、
前記鏡の位置を決定するステップと、
前記鏡の前記決定された位置を前記鏡の所望の位置と比較するステップと、
前記鏡の前記決定された位置と所望の位置との比較に従って、前記鏡の前記位置を制御するステップと
を含む、項目３１に記載の方法。
（項目３５）
前記反射、決定、比較、および調節するステップの各々は、約１０ステップ／秒〜約１００，０００ステップ／秒の範囲内の速度で繰り返される、項目３４に記載の方法。
（項目３６）
前記反射するステップは、互いに対して約９０度で配置される回転軸を有する２つの鏡を使用して、前記レーザビームを反射するステップを含む、項目３４に記載の方法。
（項目３７）
前記歯の組織の表面の前記指定された領域に従って、前記鏡の前記所望の位置を決定するステップをさらに含む、項目３４に記載の方法。
（項目３８）
前記鏡の前記所望の位置は、前記歯の組織の表面上の前記レーザビームのトレーシングパターンに従って決定され、前記トレーシングパターンは、渦巻トレース、ラスタートレース、およびランダムトレースから成る群から選択される、項目３７に記載の方法。
（項目３９）
前記歯の組織の表面の前記指定された領域の形状を指定するステップをさらに含む、項目３４に記載の方法。
（項目４０）
前記歯の組織の表面の前記指定された領域のサイズを指定するステップをさらに含む、項目３４に記載の方法。
（項目４１）
複数の区画を備える周縁を有するユーザ規定形状の閉鎖領域を指定することによって、前記歯の組織の表面の前記指定された領域を指定するステップをさらに含む、項目３４に記載の方法。
（項目４２）
旋回式光学装置を使用して、前記レーザビームの方向を修正するステップをさらに含む、項目３１に記載の方法。
（項目４３）
前記歯の組織の表面の前記指定された領域の少なくとも一部を照明するステップをさらに含む、項目３１に記載の方法。
（項目４４）
前記レーザビームは、ＣＯ２レーザビームであって、前記方法は、前記歯の組織を削磨するステップを含む、項目３１に記載の方法。
（項目４５）
前記削磨される組織は、軟組織および硬組織のうちの少なくとも１つを含む、項目４４に記載の方法。
（項目４６）
前記削磨するステップの前に、約５００ｎｍ〜約７００ｎｍの範囲内の赤色または緑色のレーザビームを使用して、前記歯の組織の表面の前記指定された領域をマーキングするステップをさらに含む、項目４４に記載の方法。
（項目４７）
前記指向するステップは、集束されるレーザビームの焦点が、実質的に、前記歯の組織の表面に位置するように、前記レーザビームを集束させるステップを含む、項目３１に記載の方法。
（項目４８）
前記指向するステップは、集束されるレーザビームの焦点が、前記歯の組織の表面に近接するように、前記レーザビームを集束させるステップを含む、項目３１に記載の方法。
（項目４９）
前記焦点は、前記歯の組織の表面の上方にある、項目４８に記載の方法。
（項目５０）
前記焦点は、前記歯の組織の表面の下方にある、項目４８に記載の方法。
本発明の種々の実施形態は、高精度で種々の歯の感染症の治療を促進し、非罹患領域の不必要な治療を緩和または回避することによって、有意にほとんど疼痛を生じさせない。これは、部分的には、コンピュータ制御式光学システムを用いることによりレーザビームを選択された治療領域に指向することによって、達成される。治療領域は、規則的形状として、また、実際に罹患している領域に近似する多角形として選択可能である。光学システムのコンピュータ式制御は、レーザビームが、選択された治療領域内に留まることを可能にする一方で、選択された領域がカバーされる（すなわち、レーザエネルギーが、選択された治療領域内に実質的に均一な態様で指向される）ことを、同時に確実にする。治療表面またはその近傍におけるレーザビームのエネルギープロファイルもまた、部分的に、レーザビームの焦点を調節することによって、制御可能である。好適なエネルギープロファイルの選択はさらに、罹患領域を均一に治療するのを支援可能である。